(57)【要約】【課題】身体の脇肉部分を前後方向全体に亘って十分に引き締めることができ、身体の脇をスラリと美しく補正することができるブラジャー提供する。【解決手段】乳房を覆う左右１対のカップ１２と、これらカップ１２を保持して身体の脇から背側に至る左右の１対の袖１３とを備え、各袖１３は、身体に一定の面積をもって接触するストレッチ性のある構成材からなる袖本体１４と、この袖本体１４よりもストレッチ性が大なる構成材からなる細紐状の３本以上のストレッチテープ１５，１６，１７とを有する。ストレッチテープ１５，１６，１７は上下方向に間隔をあけて配置する。【選択図】  図１
2005113322.tif 000002
【特許請求の範囲】
【請求項１】
乳房を覆う左右１対のカップと、これらカップを保持して身体の脇から背側に至る左右の袖とを備えたブラジャーにおいて、前記各袖は、身体に一定の面積をもって接触するストレッチ性のある構成材からなる袖本体と、この袖本体よりもストレッチ性が大なる構成材からなる細紐状のストレッチテープとを有し、前記ストレッチテープは、前記各袖本体に対して少なくとも３本、前記各袖本体の長さ方向に沿い、かつ上下方向に間隔をあけて配置したことを特徴とするブラジャー。
【請求項２】
前記各袖における前記ストレッチテープの少なくとも１本は、前記袖本体の上下方向略中央部に配置されている請求項１記載のブラジャー。
【請求項３】
前記ストレッチテープの少なくとも２本は、前記袖本体の上縁部および下縁部に配置されている請求項２記載のブラジャー。
【請求項４】
前記ストレッチテープは、前記袖本体の身体接触面側に縫着されている請求項３記載のブラジャー。
【発明の詳細な説明】
【技術分野】
【０００１】
本発明は、乳房を覆う専用単品として、または乳房以外の身体を覆う下着、補正具、水着その他各種衣類の一部として構成されるブラジャーに係り、特に身体の脇肉部分をスラリと美しく補正できるブラジャーに関するものである。
【背景技術】
【０００２】
ブラジャーの基本的な構成は、乳房を覆う左右１対の「カップ」と、これらカップがずれないように身体の脇から背に亘って巻付け固定する左右２本の帯からなる「袖」と、これら左右２本の袖の後端に縫着されこれらの袖を人体後部（背）で留める金具からなる「背かぎ」と、カップと袖とがズレ落ちないように、肩に支える吊紐である「ストラップ」とを備えたものである。これらブラジャーの構成要素のうち、「カップ」と「袖」とは一般に必須的要素とされる。なお、接着剤を利用して装着するカップのみからなるブラジャーも提案、実用されているが、これは本発明の対象ではない。
【０００３】
図４および図５は、従来の一般的なブラジャーにおける袖の構成を示している。図４は、ストラップ付きブラジャーにおける幅広タイプの左右１対の袖を示し、図５はストラップ無しブラジャーにおける幅狭タイプの左右１対の袖を示している。これらの図４および図５に示すように、従来の一般的な袖１は、ストレッチ性を有する編物により所定の上下幅で構成され身体に一定の面積をもって接触する袖本体２と、この袖本体２よりもストレッチ性が大なる構成材からなる２本の細紐状のストレッチテープ３，４とを有している。各袖本体２の上下縁は、略直線的または緩やかな曲線状をなしている。そして、一方のストレッチテープ３は、袖本体２の上縁部に沿って縫着され、他方のストレッチテープ４は、袖本体２の下縁部に沿って縫着されている。
【０００４】
なお、図６は、ストレッチテープを有しない袖５を示している。この袖５の上下縁部は、例えば小ピッチのサインカーブのような波形曲線状に形成されている。
【０００５】
図７は、従来のブラジャー装着例として、上述した図４に示した袖１を有するブラジャー６の装着状態を示している。この図７に示すように、従来のブラジャー６を装着した場合には、身体の脇肉に袖１の上下縁部１ａ，１ｂが密着する状態となり、上下縁部以外の部分は脇肉の圧力によって外側に丸みを帯びた状態で膨らむ形状、いわゆる「なまこ」状となってしまう場合が多い。
【０００６】
この理由は、上述したように、袖１を構成する袖本体２の上下端部にストレッチ性が大きいストレッチテープ３，４が配置され、上下縁部以外にはストレッチテープ３，４よりもストレッチ性が小さい編物からなる袖本体２のみによって構成されているためである。すなわち、ストレッチ性が大きいストレッチテープ３，４の部分のみが身体の脇肉部分に強く巻き付き、それ以外の部分は撓み易くなっているため、この撓み易い袖本体２の上下方向中間部分が、身体の外側に向って「なまこ」状に膨出するというものである。なお、上述した図５に示した袖１を有するブラジャーを装着した場合についても、図４に示したものと同様に脇肉の膨出状態が生じる。また、上述した図６に示した袖５を有するブラジャーの場合には、特にストレッチテープを有しないとともに、上下縁部が波形状となって身体に緩い状態で接触するため、「なまこ」現象は生じない。ただし、ストレッチテープを有しないため、脇肉に対する押圧力が比較的弱く、必ずしも十分に脇肉をスラリとした美しい形状に補正することができるとは限らない。
【０００７】
なお、「なまこ」現象の防止に関する従来の公知文献記載技術としては、「脇部がスレンダーなスッキリした細身な感じを与える補正機能を与えるために、バック布（袖）が身体の脇に当たる部分に圧縮ポリウレタンフォーム、圧縮不織布等からなる脇押さえを設けた」ブラジャーがある（特許文献１参照）。
【０００８】
しかし、「脇押さえ」は、身体の脇下において前後方向に沿う数ｃｍ程度の長さしか有していない。この「脇押さえ」は、「バック布」（袖）の上下縁部間全体に縫着された上下に長い縦長な長方形状の片布によって構成されている。すなわち、この「脇押さえ」は身体の脇における前側の一部の肉しか押圧することができない。このため、乳房の脇の前後方向一部分の肉のみを身体の内側に向って押圧する機能を有するに過ぎず、それ以外の例えば背側に向かう脇の肉は押さえきれない。したがって、必ずしも「なまこ」現象を十分に防止することができず、前述した本願添付の図７に示したような膨らみが発生する可能性がある。
【特許文献１】特開平１０−１３０９１２号公報（明細書［００３７］、図５、図６，図７）
【発明の開示】
【発明が解決しようとする課題】
【０００９】
本発明は、上述した従来技術における「なまこ」現象の十分な抑制を図り、身体の脇肉部分を前後方向全体に亘って十分に引き締めることができ、身体の脇をスラリと美しく補正することができるブラジャー提供することを目的とする。すなわち、身体の脇の全体を引き締めて、肉による膨らみが脇の前後方向全体に亘って押さえられ、凸状に膨出する部分が殆ど乃至全く生じないブラジャーを提供するものである。
【課題を解決するための手段】
【００１０】
前記の目的を達成するため、請求項１に係る発明では、乳房を覆う左右１対のカップと、これらカップを保持して身体の脇から背側に至る左右の袖とを備えたブラジャーにおいて、前記各袖は、身体に一定の面積をもって接触するストレッチ性のある構成材からなる袖本体と、この袖本体よりもストレッチ性が大なる構成材からなる細紐状のストレッチテープとを有し、前記ストレッチテープは、前記各袖本体に対して少なくとも３本、前記各袖本体の長さ方向に沿い、かつ上下方向に間隔をあけて配置したことを特徴とするブラジャーを提供する。
【００１１】
請求項２に係る発明では、前記各袖における前記ストレッチテープの少なくとも１本は、前記袖本体の上下方向略中央部に配置されているブラジャーを提供する。
【００１２】
請求項３に係る発明では、前記ストレッチテープの少なくとも２本は、前記袖本体の上縁部および下縁部に配置されているブラジャーを提供する。
【００１３】
請求項４に係る発明では、前記ストレッチテープは、前記袖本体の身体接触面側に縫着されているブラジャーを提供する。
【発明の効果】
【００１４】
請求項１に係る発明によれば、ブラジャーにおける身体の脇から背側に一定の面積をもって接触する各袖本体に対し、この袖本体よりもストレッチ性が大なるストレッチテープが袖本体の上下複数箇所において長さ方向に沿って配置されるので、身体脇の肉を押圧補正する部位が大幅に増大されるとともに、その押圧補正力が身体の脇部の狭い領域に限らず、前後方向に広範囲に亘って及ぶようになる。したがって、従来のブラジャーに比して袖本体が身体の脇の肉により外部に膨らむことが大幅に抑制され、「なまこ」現象の十分な抑制が図られ、身体の脇肉部分を前後方向全体十分に亘って引き締めることができ、身体の脇をスラリと美しく補正することができる。すなわち、身体の脇の全体を引き締めて、肉による膨らみが脇の前後方向全体に亘って押さえられ、凸状に膨出する部分が殆ど乃至全く生じないブラジャーを提供することができる。
【００１５】
請求項２に係る発明によれば、各袖におけるストレッチテープの少なくとも１本は、袖本体の上下方向略中央部に配置されるので、身体の脇の肉により外部に膨らむ「なまこ」現象がその最大発生個所において抑制されることになる。したがって、凸状の膨出が略完全に抑制できるブラジャーを提供することができる。
【００１６】
請求項３に係る発明によれば、ストレッチテープの少なくとも２本が、袖本体の上縁部および下縁部に配置され、ストレッチテープの少なくとも１本は、袖本体の上下方向略中央部に配置されるので、袖本体の上下縁部および中間部において完全に「なまこ」現象の発生を防止することができる。
【００１７】
請求項４に係る発明によれば、ストレッチテープが袖本体の身体接触面側に縫着されていることにより、ストレッチテープにより肉が直接的に押圧補正され、上記各効果が顕著に発揮されるとともに、ストレッチテープが袖の裏面側に隠れる状態となため外観の向上も図ることができる。
【発明を実施するための最良の形態】
【００１８】
以下、本発明の一実施形態について、図面を参照して説明する。図１はブラジャー全体を示す斜視図、図２は図１に示したブラジャーの後部を内側から見た状態を示す拡大図、図３は着用状態を示す図である。
【００１９】
これらの図に示すように、本実施形態のブラジャー１１は、乳房を覆う左右１対のカップ１２と、これらカップ１２を保持して身体の脇から背側に至る左右の１対の袖１３とを備えている。このブラジャー１１において、各袖１３は、身体に一定の面積をもって接触するストレッチ性のある構成材からなる袖本体１４と、この袖本体１４よりもストレッチ性が大なる構成材からなる細紐状の３本のストレッチテープ１５，１６，１７とを有している。例えば本実施形態では具体的に、袖本体１４が２１０〜２８０デニールのポリウレタン弾性糸の編込み布製であり、ストレッチテープ１５，１６，１７は例えば８４０デニールのポリウレタン弾性糸が１０本以上、例えば１１本入った１３ｍｍ幅の平坦テープとされている。
【００２０】
ストレッチテープ１５，１６，１７は、各袖本体１４に対して、各袖本体の長さ方向に沿い、かつ上下方向に間隔をあけて配置されている。なお、各袖本体１４に対するストレッチテープ１５，１６，１７の配置数は、必ずしも３本に限らず、これ以上、例えば４乃至６本程度とすることも可能である。この本数は、袖本体１４の上下寸法およびストレッチテープ１５，１６，１７のストレッチ性の大小等に対応して適宜定めることができる。
【００２１】
各袖における３本のストレッチテープ１５，１６，１７のうち１本のストレッチテープ１５は、袖本体１４の上下方向略中央部に配置されている。また、残る２本のストレッチテープ１６，１７は、袖本体１４の上縁部および下縁部に配置されている。そして、これらのストレッチテープ１５，１６，１７は、袖本体１４の身体接触面側に縫着されている。なお、図１〜図３において、符号１８はストラップ、１９は背かぎを示している。
【００２２】
以上の構成を有する本実施形態のブラジャー１１によれば、図３に示すように、利用者の身体の脇１９から背側に一定の面積をもって接触する各袖本体１４に対し、この袖本体１４よりもストレッチ性が大なるストレッチテープ１５，１６，１７が袖本体１４の上下複数箇所において長さ方向に沿って配置されるので、身体の脇１９の肉を押圧補正する部位が大幅に増大される。
【００２３】
また、押圧補正力が身体の脇１９部の長さ方向の狭い領域に限らず、前後方向全体に広範囲に亘って及ぶようになる。したがって、従来のブラジャーに比して袖本体１４が身体の脇の肉により外部に膨らむことが一層抑制され、「なまこ」現象の十分な抑制が図られる。これにより、身体の脇１９の肉部分を前後方向全体十分に亘って引き締めることができ、身体の脇をスラリと美しく補正することができる。すなわち、身体の脇の全体を引き締めて、肉による膨らみが脇の前後方向全体に亘って押さえられ、凸状に膨出する部分が殆ど乃至全く生じないブラジャーを提供することができる。
【００２４】
また、本実施形態のブラジャー１１によれば、各袖１３における１本のストレッチテープ１５が袖本体１４の上下方向略中央部に配置して縫着されるので、身体の脇の肉により外部に膨らむ「なまこ」現象がその最大発生個所において抑制されることになる。したがって、凸状の膨出を略完全に抑制することができる。
【００２５】
しかも、他の２本のストレッチテープ１６，１７が、袖本体１４の上縁部および下縁部にそれぞれ配置して縫着され、１本のストレッチテープ１５は、袖本体１４の上下方向略中央部に配置されるので、袖本体１４の上下縁部および中間部において完全に「なまこ」現象の発生を防止することができる。
【００２６】
さらに、ストレッチテープ１５，１６，１７が袖本体１４の身体接触面側に縫着されていることにより、ストレッチテープ１５，１６，１７により肉が直接的に押圧補正され、上記各効果が顕著に発揮されるとともに、ストレッチテープ１５が袖の裏面側に隠れる状態となるため外観の向上も図ることができる。
【図面の簡単な説明】
【００２７】
【図１】本発明の一実施形態によるブラジャー全体を示す斜視図。
【図２】図１に示したブラジャーの後部を内側から見た状態を示す拡大図。
【図３】図１に示したブラジャーの着用状態を示す説明図。
【図４】従来のブラジャーにおける袖の構成例を示す説明図。
【図５】従来のブラジャーにおける他の袖の構成例を示す説明図。
【図６】従来のブラジャーにおける別の袖の構成を示す説明図。
【図７】従来のブラジャーにおける着用状態を示す説明図。
【符号の説明】
【００２８】
１１  ブラジャー
１２  カップ
１３  袖
１４  袖本体
１５，１６，１７  ストレッチテープ
１８  ストラップ
１９  背かぎ
【図１】
2005113322.tif 000003
【図２】
2005113322.tif 000004
【図３】
2005113322.tif 000005
【図４】
2005113322.tif 000006
【図５】
2005113322.tif 000007
【図６】
2005113322.tif 000008
【図７】
2005113322.tif 000009